(57)【要約】【課題】  本発明は組立式の個室箱型ベッドに係り、さらに詳しくは、ベッドを設置する現場搬入時には分解状態で運び込まれ、設置すべき現場で簡単な組立て作業を行うことで、短時間で頑丈な、使用性に優れた個室箱型ベッドが完成することを特徴とする組立式の個室箱型ベッドに関する。【解決手段】前板パネル、後板パネル、側板パネル、底板パネル、天板パネル、ベース板パネルを組立てて箱型個室が形成できるようにした組立式の個室箱型ベッドにおいて、前板パネル、後板パネル、側板パネル、底板パネル、天板パネル、ベース板パネルをすべて平板状体で形成したことを特徴とする組立式の個室箱型ベッドである。【選択図】      図３Ａ
2020058746.tif 000002
【特許請求の範囲】
【請求項１】
前板パネル、後板パネル、側板パネル、底板パネル、天板パネル、ベース板パネルを組立てて箱型個室が形成できるようにした組立式の個室箱型ベッドにおいて、
前板パネル、後板パネル、側板パネル、底板パネル、天板パネル、ベース板パネルをすべて平板状体で形成したことを特徴とする組立式の個室箱型ベッド。
【請求項２】
前板パネル、後板パネル、側板パネル、底板パネル、天板パネルの組立時に隣り合う各パネルのそれぞれの突合せ面位置に、各パネルの確実な取り付けを行う取付金具が嵌入埋設可能となる凹嵌部を形成したことを特徴とする請求項１記載の組立式の個室箱型ベッド。
【請求項３】
前板パネルに出入口孔を形成したことを特徴とする請求項１又は２記載の組立式の個室箱型ベッド。
【請求項４】
マットレスを備えたことを特徴とする請求項１乃至３のいずれかに記載の組立式の個室箱型ベッド。
【請求項５】
平板状体を組立てて構成される、ヘッドボード、クローゼット、サイドボード、擬柱、物入のなかから、少なくとも一つを備えたことを特徴とする請求項１乃至４のいずれかに記載の組立式の個室箱型ベッド。
【請求項６】
ステップ、手摺のなかから、少なくとも一つを備えたことを特徴とする請求項１乃至５のいずれかに記載の組立式の個室箱型ベッド。
【発明の詳細な説明】
【技術分野】
【０００１】
本発明は組立式の個室箱型ベッドに係り、さらに詳しくは、ベッドを設置する現場搬入時には分解状態で運び込まれ、設置すべき現場で簡単な組立て作業を行うことで、短時間で頑丈な、使用性に優れた個室箱型ベッドが完成することを特徴とする組立式の個室箱型ベッドに関する。
【背景技術】
【０００２】
従来より、カプセルホテル用のベッドでは、個室単位に仕切られた一段式又は二段式のベッドを水平方向に多数連接して形成している。
二段式のベッドの場合には、ステップを取り付けて二階部のベッドに安全に上昇して進入できるようになっている。
【０００３】
しかしながら、個人用であっても、カプセルホテル用であっても、上記の個室箱型ベッドは１単位ごとの完成体を、１単位ごとに設置場所に運び込むものであった。
複数のベッドを必要とするカプセルホテルなどにおいては、１単位ごとのベッドを水平方向に複数連接することで連続するベッドを形成していた。
【０００４】
上記以外に、カップセルホテルなどにおいては、長期の期間をかけて、すべての必要材料を設置場所に持ち込み、そこで設計図面に従い大掛かりで本格的な大工工事を行い、多数の個室箱型ベッドを完成させることも行われていた。
【先行技術文献】
【特許文献】
【０００５】
【特許文献１】実用新案登録第３２０５３１９公報
【特許文献２】特許第４８８５２４８公報
【特許文献３】特許第６０３３６７０公報
【発明の開示】
【発明が解決しようとする課題】
【０００６】
特許文献１〜３の個室ベッドは、段ボール製で構造が堅牢でなく、あくまで簡易な一時使用に向けた構造の個室であったり（特許文献３）、仕切り壁が開閉自在となる個室であったり（特許文献１）、分割パネルを特殊なＬ字形のパネルで連結し、分割パネルが必ずしも平板状ではないものも含まれていた（特許文献２）。
従来の個室ベッドは、設置場所で簡単に組み立てられる構成ではなかったため、設置場所への搬入に完成品を持ち込むこととなり、その嵩張る完成品の搬入コストが高額となるなど多大の問題点が存在した。
【０００７】
さらに、ベッドの材料を分割して用意し、その材料を設置場所で組立てるようにしたものであっても、ベッドを形成する素材が、木製、金属製、合成樹脂製などと比較して強度を備えたものではない段ボール製である場合には、長期の使用に耐えるベッドが得られないという問題点があった。
また、ベッドの材料は強度のあるものであったとしても、分割された材料が平板状に形成されない材料が含まれる場合には、分割材料を一括梱包して設置場所に搬送する際に、梱包体が大きくなり過ぎて、取り扱いに苦労したり、梱包搬送コストが嵩むという問題点があった。
本発明は、上記のすべての問題を解消した組立式の個室箱型ベッドを提供しようとするものである。
【課題を解決するための手段】
【０００８】
上記目的を達成するために、請求項１の発明は、前板パネル、後板パネル、側板パネル、底板パネル、天板パネル、ベース板パネルを組立てて箱型個室が形成できるようにした組立式の個室箱型ベッドにおいて、
前板パネル、後板パネル、側板パネル、底板パネル、天板パネル、ベース板パネルをすべて平板状体で形成したことを特徴とする組立式の個室箱型ベッドである。
【０００９】
請求項２の発明は、前板パネル、後板パネル、側板パネル、底板パネル、天板パネルの組立時に隣り合う各パネルのそれぞれの突合せ面位置に、各パネルの確実な取り付けを行う取付金具が嵌入埋設可能となる凹嵌部を形成したことを特徴とする請求項１記載の組立式の個室箱型ベッドである。
【００１０】
請求項３は、前板パネルに出入口孔を形成したことを特徴とする請求項１又は２記載の組立式の個室箱型ベッドである。
【００１１】
請求項４は、マットレスを備えたことを特徴とする請求項１乃至３のいずれかに記載の組立式の個室箱型ベッドである。
【００１２】
請求項５は、平板状体を組立てて構成される、ヘッドボード、クローゼット、サイドボード、擬柱、物入のなかから、少なくとも一つを備えたことを特徴とする請求項１乃至４のいずれかに記載の組立式の個室箱型ベッドである。
【００１３】
請求項６は、ステップ、手摺のなかから、少なくとも一つを備えたことを特徴とする請求項１乃至５のいずれかに記載の組立式の個室箱型ベッドである。
【発明の効果】
【００１４】
上記した請求項１に係る組立式の個室箱型ベッドは、前板パネル、後板パネル、側板パネル、底板パネル、天板パネル、ベース板パネルをすべて平板状体で形成したものであるため、各パネルの製造工場での梱包作業が容易であり、かつ梱包体は嵩張らないものとなり、設置場所までの輸送コストも低廉となるなどの優れた効果を発揮する。
【００１５】
上記した請求項２に係る組立式の個室箱型ベッドは、設置場所で、前板パネル、後板パネル、側板パネル、底板パネル、天板パネルの組立時に隣り合う各パネルのそれぞれの突合せ面位置に、各パネルの確実な取り付けを行う取付金具が嵌入埋設可能となる凹嵌部が形成されているため、その凹嵌部に公知の組立金具を嵌入埋設することで、短時間で各パネルの組立状態が強固になり、かつ組立金具が各パネルの板厚内に埋没してパネルの外側にはみ出さないため、完成した個室箱型ベッドの外観が美しいものとなるという優れた効果を発揮する。
【００１６】
また請求項３に係る組立式の個室箱型ベッドは、個室への出入りが容易となる出入口孔を前板パネルに形成してあるため、使用性が良くなるという効果を発揮する。
【００１７】
さらに請求項４に係る組立式の個室箱型ベッドは、マットレスを備えているため、さらなる使用性の向上に寄与するという効果を発揮する。
【００１８】
ついで請求項５に係る組立式の個室箱型ベッドは、平板状体を組立てて構成される、ヘッドボード、クローゼット、サイドボード、擬柱、物入のなかから、少なくとも一つを備えているため、さらなる使用性の向上に寄与するという効果を発揮する。
【００１９】
また請求項６に係る組立式の個室箱型ベッドは、ステップ、手摺のなかから、少なくとも一つを備えているため、一層使用性の向上に寄与するという効果を発揮する。
【図面の簡単な説明】
【００２０】
【図１Ａ】本発明に係る組立式の個室箱型ベッドの二段式タイプの例で、二段部の分解状態の斜視図である。
【図１Ｂ】同、一段部の分解状態の斜視図である。
【図１Ｃ】本発明に係る組立式の個室箱型ベッドの二段式タイプの例で、組立状態の斜視図である。
【図２Ａ】本発明に係る組立式の個室箱型ベッドの二段式タイプの別の例で、二段部の分解状態の斜視図である。
【図２Ｂ】同、一段部の分解状態の斜視図である。
【図２Ｃ】本発明に係る組立式の個室箱型ベッドの二段式タイプの別の例で、組立状態の斜視図である。
【図３Ａ】本発明に係る組立式の個室箱型ベッドの一段式タイプの例で、一段部の分解状態の斜視図である。
【図３Ｂ】同、組立状態の斜視図である。
【図４Ａ】本発明に係る組立式の個室箱型ベッドの一段式タイプの別の例で、一段部の分解状態の斜視図である。
【図４Ｂ】同、組立状態の斜視図である。
【発明を実施するための形態】
【００２１】
以下添付図面に基づいて、本発明に係る組立式の個室箱型ベッドの一実施の形態を詳説する。
１（二段幅広タイプの個室箱型ベッド）
まず図１Ａ〜図１Ｃに示すように、本発明に係る組立式の個室箱型ベッドは、ベッドが上下二段に形成され、各ベッド単位に、前板パネル１、後板パネル２、一対の側板パネル３、底板パネル４、天板パネル５、ベース板パネル１４を組立てて箱型個室が形成できるようにした組立式の個室箱型ベッドにおいて、前板パネル１、後板パネル２、側板パネル３、底板パネル４、天板パネル５、ベース板パネル１４をすべて平板状体に形成している。
【００２２】
前板パネル１、後板パネル２、一対の側板パネル３、底板パネル４、天板パネル５、ベース板パネル１４の素材は、木製、金属製、あるいは合成樹脂製であり、通常その板厚寸法は３０〜４０ミリ程度である。その他各パネルの寸法は、使用目的に合わせて、常識的に採用される範囲内のものである。
【００２３】
前板パネル１は個室箱型ベッドの正面に配設され、後板パネル２は背面に配設され、一対の側板パネル３は左右の側面に配設され、底板パネル４は底面に配設され、天板パネル５は上面に配設され、ベース板パネル１４は底板パネル４の下面に配設されて全体の基礎を受け持つものである。
これら各パネルは、その大きさや強度などの設計上あるいは製作上の理由から、各パネルが一枚板で形成される場合のほか、それを二分割にするなどの変更は、必要に応じて適宜行われる場合がある。
【００２４】
前板パネル１、後板パネル２、側板パネル３、底板パネル４、天板パネル５の組立時に隣り合う各パネルのそれぞれの突合せ面位置には、各パネルの確実な取り付けを行う取付金具（図示しない）が嵌入埋設可能となる凹嵌部（図示しない）が形成されている。
図示の関係上、各パネルの厚さ寸法を大きくとることができず、そのため取付金具と凹嵌部を図示することを省略したが、取付金具は市販されているパネル連結のための一般的なものが使用され、個室箱型ベッドの組立時にはその取付金具がパネルの板厚内に収まるようにパネルの板厚側の側面などに凹嵌部を事前に形成しておくこととなる。
【００２５】
この凹嵌部に、取付金具が収まった状態で個室箱型ベッドの組立が完了すると、完成体では取付金具が外観上隠されてしまうため、取付金具の飛び出し部が見えず、その存在もカムフラージュされてしまうため、外観上美しい仕上がりが達成される。
取付金具の一例としては、雄部材と雌部材の一対で構成し、一方のパネルに雄部材をセットし、他方の部材に雌部材をセットすることで完成し、パネルの組立に際しては、雄部材と雌部材を嵌合結着して完成し、この嵌合結着を解くことで組立状態を解除できるものである。
この取付金具によりパネルの取り付けは、簡単な操作、例えば六角レンチの使用などで、確実な取り付け（取り外し）操作が行え、最終的に強固な組立式の個室箱型ベッドが完成することとなる。
【００２６】
また前板パネル１には、利用者が出入りするための出入口孔９を形成することが便利であり、この出入口孔の形状や大きさは特に制限されない。
また必要に応じて、マットレス１５を備えたり、平板状体を組立てて構成されるヘッドボード６、クローゼット７、サイドボード８、擬柱１２、物入１３を備えたり、ステップ１０、手摺１１を備えたりすることもできる。
【００２７】
上記のヘッドボード６は、ベッド利用時に使用者の頭が向き合う側のパネル前面に設置されるその素材を柔らかいものにすることも可能である。またヘッドボード６の上面側は解放上に形成され、ＬＥＤ照明（図示しない）などをヘッドボード６の背面側に配設することで、光とりとして利用することが可能となる。
クローゼット７は、荷物や被服を収納する際に利用され、サイドボード８は、テレビ画面や小物置きなどの棚として利用され、擬柱１２は内部の設計上で不要な空間が生まれた際にその目隠しとしたり、あるいは内部にケーブルを配線する際の空間などとして利用されたりする。
また物入１３は、空間の有効利用の目的で設置されるもので、あらゆる品物を収納する際に利用されるものである。
【００２８】
２（二段幅狭タイプの個室箱型ベッド）
この実施例は図２Ａ〜図２Ｃに示すもので、同一の符号は、上記の実施例と同一の部材を意味するものである。
【００２９】
３（一段幅広タイプの個室箱型ベッド）
この実施例は図３Ａ〜図３Ｂに示すもので、同一の符号は、上記の実施例と同一の部材を意味するものである。
【００３０】
４（一段幅狭タイプの個室箱型ベッド）
この実施例は図４Ａ〜図４Ｂに示すもので、同一の符号は、上記の実施例と同一の部材を意味するものである。
【産業上の利用可能性】
【００３１】
本発明は、組立式の個室箱型ベッドを使用したり製造したりする産業において利用される。
【符号の説明】
【００３２】
１…前板パネル
２…後板パネル
３…側板パネル
４…底板パネル
５…天板パネル
６…ヘッドボード
７…クローゼット
８…サイドボード
９…出入口孔
１０…ステップ
１１…手摺
１２…擬柱
１３…物入
１４…ベース板パネル
１５…マットレス
【図１Ａ】
2020058746.tif 000003
【図１Ｂ】
2020058746.tif 000004
【図１Ｃ】
2020058746.tif 000005
【図２Ａ】
2020058746.tif 000006
【図２Ｂ】
2020058746.tif 000007
【図２Ｃ】
2020058746.tif 000008
【図３Ａ】
2020058746.tif 000009
【図３Ｂ】
2020058746.tif 000010
【図４Ａ】
2020058746.tif 000011
【図４Ｂ】
2020058746.tif 000012